(57)【要約】  積層体（２）中で上下に重ねられ、直列に接続された、少なくとも２つの単電池（３’、３”）を有する蓄電池（１）であって、単電池が平面電極（４、５）を備え、積層体（２）の端部が蓄電池（１）の極（９、１０）を形成し、前記電極が、前記積層体から側方に突き出る接続線路（１１、１２）を有し、すべての前記単電池の少なくとも一方の前記接続線路が、積層体のほぼ長手方向に延びる、１つの共通のコア（１３）を介して誘導結合され、第１群の単電池（３’）の接続線路（１１、１２）が、第２群の単電池（３”）の接続線路（１１、１２）とは逆向きに誘導結合される蓄電池。
2011507149.tif 000002
【特許請求の範囲】
【請求項１】
積層体（２）中で上下に重ねられ直列に接続された、少なくとも２つの単電池（３’、３”）を有する蓄電池（１）であって、前記単電池が平面電極（４、５）を備え、前記積層体の端部が、前記蓄電池の極（９、１０）を形成し、前記電極が、前記積層体から側方に突き出る接続線路（１１、１２）を有する蓄電池において、前記すべての単電池の少なくとも一方の前記接続線路が、前記積層体のほぼ長手方向に延びる１つの共通のコア（１３）を介して誘導結合され、第１群の単電池（３’）の前記接続線路が、第２群の単電池（３”）の前記接続線路とは逆向きに誘導結合されることを特徴とする蓄電池。
【請求項２】
前記接続線路のそれぞれが、前記平面電極の平面（７）内で、前記コアを迂回して通り過ぎることを特徴とする請求項１に記載の蓄電池。
【請求項３】
前記各電極が、その前記接続線路と一体に作製されていることを特徴とする請求項１または２に記載の蓄電池。
【請求項４】
前記一方の接続線路が、前記第１群（３’）では、前記単電池の正の電極（４）から出ており、前記第２群（３”）では前記単電池の負の電極（５）から出ている、またはその逆であることを特徴とする請求項１から３のいずれか一項に記載の蓄電池。
【請求項５】
すべての前記単電池のそれぞれ他方の前記接続線路も、相応の結合方向に、前記コアを通り抜けて案内されることを特徴とする請求項１から４のいずれか一項に記載の蓄電池。
【請求項６】
前記コアがＵコアまたはＯコアであり、該コアの長手脚部（１４、１５）が前記積層体を貫通し、前記単電池の一方の前記接続線路が、スリット（２１、２２）によって、前記各電極（４、５）から境界を画され、前記長手脚部の間を通過し、一方、前記単電池のそれぞれ他方の前記電極が、前記長手脚部の間に分離スリット（２４）を有することを特徴とする請求項１から５のいずれか一項に記載の蓄電池。
【請求項７】
前記コアが、少なくとも１つの横脚部（１７）を介して接続された、少なくとも２つの長手脚部（１４〜１６）を有し、前記長手脚部が前記積層体を貫通し、前記単電池の前記一方の接続線路が、スリット（２６〜２９）によってその前記電極から境界を画され、前記長手脚部（１４〜１６）の間を蛇行して通過することを特徴とする請求項１から５のいずれか一項に記載の蓄電池。
【請求項８】
前記単電池のそれぞれ他方の前記接続線路が、スリット（３１〜３４）によってその前記電極から境界を画され、前記長手脚部の間を逆向きに蛇行して通過することを特徴とする請求項７に記載の蓄電池。
【請求項９】
前記単電池のそれぞれ他方の前記電極が、前記長手脚部の間に分離スリット（２４）を有することを特徴とする請求項７に記載の蓄電池。
【請求項１０】
前記第１群と前記第２群の単電池が、交互に配置されることを特徴とする請求項１から９のいずれか一項に記載の蓄電池。
【請求項１１】
隣接する２つの前記単電池の隣り合った前記電極が、１つの共通のバイポーラ電極として統合されていることを特徴とする請求項１から１０のいずれか一項に記載の蓄電池。
【請求項１２】
２つの隣接する前記単電池の隣り合った前記電極の前記接続線路が、１つの共通のバイポーラ接続線路として統合されていることを特徴とする請求項１から１１のいずれか一項に記載の蓄電池。
【請求項１３】
それぞれの前記単電池の前記接続線路が、１つの制御されたスイッチ（１８）を介して接続され、前記第１群の単電池の少なくとも１つのスイッチ（１８）と、前記第２群の単電池の少なくとも１つのスイッチ（１８）が、交互に制御されることを特徴とする請求項１から１２のいずれか一項に記載の蓄電池。
【請求項１４】
前記コアが、２次電力を脱結合させるためおよび／または蓄電池を充電するための補助巻線（２０）を備えていることを特徴とする請求項１から１３のいずれか一項に記載の蓄電池。
【請求項１５】
リチウムイオン蓄電池またはリチウムポリマー蓄電池であることを特徴とする請求項１から１４のいずれか一項に記載の蓄電池。
【発明の詳細な説明】
【技術分野】
【０００１】
本発明は、積層体中で上下に重ねられ、直列に接続された、少なくとも２つの単電池を有する蓄電池であって、単電池が平面電極を備え、積層体の端部が蓄電池の極を形成し、電極が前記積層体から側方に突き出る接続線路を有する蓄電池に関する。
【背景技術】
【０００２】
この種の蓄電池は、最近は自動車の電気駆動システムにおいて、多数の平面的な単電池を積層し、直列接続することによって、１００Ｖを上回る高い蓄電池極電圧を生じさせるために使用されている。
【０００３】
しかし、単電池の直列接続は、すべて単電池が同じ充電電流で充電され、したがって個々の単電池にわずかな品質差があっても、それが異なる充電状態をもたらすという欠点がある。したがって、個々の単電池間で電荷を平衡させるために、既に多数の回路が提案されている。これらの回路は、単電池の個々の電極にアクセスし、単電池ごとに抵抗網を介して電荷を破棄するか、またはコンデンサを介して単電池を充放電するか、または単電池間で誘導によりエネルギー伝達することに基づくものである。最後の方式は、誘導性電荷平衡（誘導性平衡）として公知であり、例えば、ドイツ特許出願公開第１９５３３５４３号およびドイツ特許出願公開第４４２２４０９号に記載されている。
【０００４】
誘導性電荷平衡方式の場合、個々の単電池が、スイッチを介して交互に複数のコイルに接続される。これら複数のコイルは、共通のコアを介して誘導結合されている。より高い荷電状態を有する単電池から送出されたエネルギーが変換されて、磁界の形成をもたらし、スイッチ切換え時に磁界が消滅すると、それが荷電状態のより低い単電池向けの充電エネルギーに逆変換される。これにより切換えが繰り返されると、すべての単電池間での電荷平衡が達成される。誘導性電荷平衡方式には、単電池の電気化学的分離が自動的に得られるという大きな利点がある。しかし欠点は、個々の単電池を、エネルギー変換のために使用されるコイルと接続するための布線コストが高いことである。多数の単電池、例えば、数十または数百個の単電池から構成される蓄電池では、誘導性電荷平衡方式を実際に使用するためには、現在の布線コストは非常に高い。
【発明の概要】
【０００５】
本発明の目的は、従来技術の上記欠点を克服し、誘導性電荷平衡を用いた動作を、簡単かつ低コストで可能にする、積層された単電池からなる蓄電池を提供することにある。
【０００６】
この目的は、冒頭に述べた種類の蓄電池であって、本発明によれば、すべての単電池の少なくとも一方の接続線路が、積層体のほぼ長手方向に延びる１つの共通のコアを介して誘導結合されており、第１群の単電池の接続線路が、第２群の単電池の接続線路とは逆向きに誘導結合されることを特色とする蓄電池によって達成される。
【０００７】
このようにして、蓄電池積層体とコアからなる小型ユニットであって、コアが、積層体の全長にわたって好ましくは平面電極に対して、垂直に延びる小型ユニットが提供される。これにより、電極から出た接続線路を、コストのかかる中間布線なしで、直接コアを迂回し、コアを通り抜け、またはそれ以外の所望の様式でコアの周囲を引き回しまたは案内することができる。これにより接続線路の誘導結合が得られる。共通のコアを通過した接続線路は、従来のように、形成されたインダクタンスを切り換えるためのスイッチによって配線接続することができる。
【０００８】
前記接続線路のそれぞれが、その平面電極の平面内で、コアを迂回して通り過ぎると、特に好適である。これにより本発明の構成が非常に薄い、例えば、箔から作製された多数の電極を備える層構造に特に適したものとなり、それらの電極の接続線路を交差することなく直接案内することができる。
【０００９】
各電極が、その接続線路と一体に作製されるのが好ましい。大量生産の場合にコスト的に非常に好適である。
【００１０】
本発明の蓄電池の構造は、一方の接続線路が、第１の群では単電池の正の電極から出ており、第２の群では単電池の負の電極から出ている、またはその逆、さらに規格化し簡略化することができる。
【００１１】
本発明の、さらなる好ましい特徴によれば、それぞれ他方の接続線路も、適切な結合方向にコアを介して案内され、１つの単電池の２つの接続線路がインダクタンスの形成に寄与するとき、結合度をさらに高めることができる。
【００１２】
本発明のさらなる好適な実施形態は、コアが「Ｕコア」または「Ｏコア」であり、コアの長手方向の脚部が積層体を貫通しており、単電池のそれぞれ一方の接続線路が、スリットによって、その電極から境界を画されて、長手脚部の間を通り抜け、これに対して、単電池のそれぞれ他方の電極は、長手脚部の間に分離スリットを有することを特色とする。この実施形態では、コンパクトさと効率の点で最適化が達成される。すなわち、コアが積層体に直接組み込まれ、接続線路は電極から直接引き出されるように加工されており、必要な材料が最小限になる。このようにして、単にスリットを電極内に形成するだけで、電流供給のための接続線路が所望の方向に、コアの広がり方向に対して垂直に形成される。すなわち、接続線路はコアの周囲で半巻線または部分巻線として働き、別個の布線を必要とせずに、このコアを介して誘導結合される。
【００１３】
好ましい代替の実施形態では、コアが、少なくとも１つの横脚部を介して接続された、少なくとも２つの長手脚部を有することができる。これら長手脚部が積層体を貫通し、単電池の一方の接続線路が、スリットによってその電極から境界を画されて、長手脚部の間を蛇行して通り抜ける。例えば、コアは「Ｅ字」の形に、３つの長手脚部と１つの横脚部を有することができる。
【００１４】
その際、単電池のそれぞれ他方の接続線路が、スリットによって電極から境界を画されて、長手脚部の間を逆向きに蛇行して通り抜けることが好ましい。代わりに、単電池のそれぞれ他方の電極が、長手脚部の間に分離スリットを有することもできる。どちらの場合にも、単電池の２つの群が逆向きに結合される。ここで、前者の場合には、さらに大きな結合度が達成される。
【００１５】
第１群の単電池と第２群の単電池を交互に配置することが好ましい。構造がさらに簡単になり、単電池を２つの同じ大きさの群に配分することによって、電荷平衡が最適化される。
【００１６】
隣接する２つの単電池の隣り合った電極同士を統合して、１つの共通の、それ自体公知のいわゆる「バイポーラ」電極にすると特に好適である。これにより、材料をさらに節約することができる。
【００１７】
同じ理由から、隣接する２つの単電池の、隣り合った電極の接続線路同士も統合して、１つの共通のバイポーラ接続線路にすると特に好適である。
【００１８】
本発明の蓄電池の可能な配線様式では、各単電池の接続線路が、制御されたスイッチを介して接続されており、第１群の単電池の少なくとも１つのスイッチと、第２群の単電池の少なくとも１つのスイッチが交互に制御される。
【００１９】
本発明の他の好ましい実施形態は、コアが、２次電力を使用するため、および／または蓄電池を充電するための補助巻線を備えることを特色とする。これにより、蓄電池の負荷電流回路が遮断された場合でも、エネルギーを蓄電池から取り出すことができる。後でさらに論じるように、ＤＣ／ＤＣコンバータの様式での電圧変換の可能性も開かれる。他方では、この補助巻線を介して、同時に「誘導性平衡」を行いながら、蓄電池を充電することさえ可能となる。
【００２０】
本発明は、平面電極を備えるいかなる種類の蓄電池にも適する。しかし、蓄電池は好ましくは、リチウムイオン蓄電池、またはリチウムポリマー蓄電池である。これらの電池は、高い出力密度を特色とし、誘導性電荷平衡に適している。
【００２１】
本発明について、以下に、添付図面に示した例示的実施形態に基づき詳細に説明する。
【図面の簡単な説明】
【００２２】
【図１】本発明の蓄電池の第１の実施形態の概略的斜視図である。
【図２】図１の蓄電池のブロック回路図である。
【図３】図１の蓄電池の最初の４つの電極の平面図である。
【図４】本発明の蓄電池の別の実施形態の全体平面図である。
【図５】図５ａ〜ｄは、最初の４つの電極の個々の平面図である。
【図６】本発明の蓄電池の別の実施形態の全体平面図である。
【図７】図７ａ〜ｄは、最初の４つの電極の個々の平面図である。
【図８】図７の蓄電池の概略斜視図である。
【図９】最初の２つの電極上に投影した、本発明の蓄電池の別の実施形態を示す全体平面図である。
【発明を実施するための形態】
【００２３】
図１は、４つの単電池３’、３”を上下に重ねた、積層体２を有する蓄電池１を示す。各単電池３’、３”は、平面的な正電極４と、平面的な負電極５と、その間にある化学的構成体または電解質６とから構成される。
【００２４】
単電池３’、３”は、当技術分野で知られている、いかなる種類のものでもよく、例えばリチウムイオン電池、リチウムポリマー電池などとすることができる。単電池３’、３”の厳密な内部構造は、本発明の対象ではなく詳細には説明しない。本発明の目的に関しては、単電池３’、３”が平面状であること、すなわちその電極４、５および電解質６の厚さに比べてその平面７内で相対的に大きな、横および長手方向の広がりを有することに触れておくだけで十分である。例えば、現在のリチウムイオン電池では、金属層が蒸着された薄い支持箔が電極４、５に使用される。したがって、平面電極４、５または単電池３’、３”は箔状であり可撓性がある。
【００２５】
したがって、「平面」電極または単電池という概念には、本明細書の開示において、平坦なだけでなく、上記の意味合いで平面状であれば、湾曲した、波打った、またはその他の歪んだ電極および単電池も含まれる。
【００２６】
電極４、５の輪郭、したがって単電池積層体２全体の輪郭は、任意に選択することができ、例えば、使用される取付け空間に適合させることができる。自動車における好ましい使用の際には、蓄電池１は例えば、既存の車両空き空間にぴったり収まることができ、またはそれ自体を車両部材として、例えば、トランクルーム底部、座席底部、ドア内張として成形することができる。
【００２７】
積層体２内の単電池３’、３”は、接続部８によって概略的に示されるように、直列に接続されている。一つの実施形態では、隣接する２つの単電池３’、３”の、隣り合ったそれぞれの電極５、４が、これらを接触させるために全面で当接され、またはこれらの電極が、とりわけ１つの、共通のいわゆる「バイポーラ」電極として統合される。
【００２８】
積層体２の端部は、蓄電池１の２つの極９、１０を形成する。単電池３’、３”の電極４、５には、さらに、積層体２から側方に突き出る接続線路１１、１２が設けられている。好ましくは、接続線路１１、１２は、電極４、５の平面７内にも延びる。とりわけ、接続線路は電極と一体に形成され、例えば、同じ（被覆された）箔から切り出される。
【００２９】
単電池３’、３”の接続線路１１、１２は、良導磁性材料、例えば、軟鉄またはフェライトからなるコア１３を、迂回して通り過ぎるように案内され、しかも動作時に、すなわち電流が接続線路１１、１２を流れるとき、相互に誘導結合される。
【００３０】
図１の実施形態では、コア１３は、２つの長手脚部１４、１５を備える「環状コア」または「Ｏコア」である。２つの長手脚部は、２つの横脚部１７を介して「リング状」または「Ｏ字状」に閉じている。所望の場合には、横脚部１７の１つを省略することができ、「Ｕコア」が得られるが、もちろん、結合度およびインダクタンスは低減される。「Ｏコア」という概念は、閉じた磁気回路を備える任意の種類のコアを意味する。例えば、リングコア、楕円形Ｏコア、多角形Ｏコア、ヨーク付きのＵコアなどである。
【００３１】
コア１３の長手脚部１４、１５は、積層体２の長手方向全体にわたり、しかも好ましくは電極４、５の平面７に対して垂直に延びている。その代わりに、とりわけ特別の取付け要求によってそうせざるを得ない場合には、コア１３は、平面７に対して９０°とは異なる角度で、積層体２の長手方向全体にわたり延びることもできる。図１の実施形態では、コア１３は、積層体２のすぐ傍を延び、例えば、積層体と密に組み立てることができる。
【００３２】
接続線路１１、１２の端部は、コア１３を通過した後、さらなる配線に使用可能である。図２は、好ましい配線形態を示す。
【００３３】
図２によれば、各単電池３’、３”の接続線路１１、１２の端部同士が、１つの制御スイッチ１８を介して接続される。接続線路１１、１２がコア１３を通過することによって、それぞれ形成されるインダクタンスＬが、図２の回路図に示されている。
【００３４】
図１および２から分かるように、接続線路１１、１２は、第１群の単電池の３’の接続線路間の誘導結合が、第２群の単電池の３”の接続線路間の誘導結合と正反対となるように、コア１３を通り抜けて、またはコアを迂回して案内される。ここでは、第１群の単電池３’と第２群の単電池３”は交互に配置される。必須ではないが、こうすると後でさらに説明するように層構造が簡略化される。
【００３５】
ここで、第１群の単電池の３’のスイッチ１８と第２群の単電池３”のスイッチ１８が、制御クロック１９により制御されて、それぞれ交互に閉じられると、インダクタンスＬを流れる交流電流が発生する。この電流は、コア１３内で交流磁界を形成し、この磁界はさらに、インダクタンスＬおよび接続された単電池内に、対応して交流電圧を誘導する。その結果、充電状態の高い単電池３’、３”と充電状態の低い単電池３’、３”のエネルギー平衡が生じる。これは「誘導性平衡」として知られている。
【００３６】
必要な場合には、コア１３上にある補助巻線２０を介して、コア１３内の交流磁界から補助電力または２次電力を取り出すことができる。この補助電力または２次電力は、例えば、蓄電池の極９、１０における負荷電流回路とは無関係に、別の電気コンポーネントに給電するために利用することができる。こうすることにより、例えば、このコンポーネントに給電するための別個のＤＣ／ＤＣコンバータは不要になる。したがって、誘導性電荷平衡で動作する蓄電池１は「副産物」として、補助巻線２０の巻き数により選択可能な付加的交流電圧を供給する。この交流電圧は、整流することもでき、ＤＣ／ＤＣコンバータの代わりとなる。
【００３７】
さらに、補助巻線に交流電流が供給される場合、この補助巻線２０を蓄電池の充電のために使用することもできる。この場合、充電は「誘導性平衡」と同時に行われる。
【００３８】
最も簡単な場合、図１に示すように、各単電池３’、３”の１つの接続線路１１または１２だけが、図２に示すような所望の結合方向を達成するために、相応の巻き方向でコア１３を迂回して、またはこのコアを通り抜けて案内される。図３にその詳細を示す。第１群の単電池３’の正の電極４の接続線路１１が、コア１３から離れた所を通り過ぎ、第１群の単電池３’の負の電極５の接続線路１２が、コア１３を通り抜け、第２群の単電池３”の正の電極４の接続線路１１が、同様にコア１３を通り抜け、第２群の単電池３”の負の電極５の接続線路１２が、やはりコア１３から離れた所を通り過ぎる。したがって、この場合に、コア１３を通り抜ける接続線路の極性が逆であるので、第１の単電池３’の接続線路１２の電磁結合は誘導性となり、すなわち、コア１３内の磁束方向に関して、第２群の単電池３”の接続線路１１の電磁結合とは逆向きになる。
【００３９】
図４は、ロッド状コア１３を備える、第１の代替実施形態を示す。このロッド状コア１３の周囲を、第１群の単電池３’の接続線路１１と、第２群の単電池３”の接続線路１２は、それぞれ１つまたは複数の巻線の形態で迂回して案内され、一方、第１群の単電池３’の接続線路１２と、第２群の単電池３”の接続線路１１は、コア１３から離れた所を通り過ぎる。
【００４０】
図５は、ロッド状コア１３を備える別の代替実施形態を示す。このロッド状コア１３の周囲を、すべての単電池３’、３”の、すべての接続線路１１、１２がそれぞれ半巻線の形態で、しかも、それぞれ図示の方向および巻き方向で、迂回して案内され、それにより第１群の単電池３’と第２群の単電池３”との間で、所望の逆向きの結合が達成される。
【００４１】
図６は、図１および図３のような、Ｏコア１３を備える別の実施形態を示す。このＯコア１３の長手脚部１４、１５の周囲を、単電池３’、３”のすべての接続線路１１、１２が、１つまたは複数の巻線の形態で迂回して案内される。この場合も、方向および巻き方向は、図２による相応の誘導結合方向が達成されるように選択される。
【００４２】
図３および図５の実施形態は、接続線路の交差が必要でないという利点を有する。このことは、図１に示した平面的で一体型の層構造に特に適している。
【００４３】
図７および８は高い結合度を有し、線路が交差しない、特にコンパクトな別の実施形態を示す。この実施形態では、長手脚部１４、１５を備えるＯコア１３が、単電池３’、３”の積層体２全体を貫通しており、接続線路１１、１２は、いわば、電極４、５中に「組み込まれている」。
【００４４】
ここでは、Ｏコア１３を貫通する第１群の単電池３’の正の電極４の接続線路１１は、２つのスリット２１、２２によって、それぞれの電極４または５の残りの平面から境界を画されている。スリット２１、２２は、それぞれコア１３の長手脚部１４、１５の貫通個所から電極４、５の縁部まで達し、スリット２１、２２の間に残った電極の部分が、電流線２３に示されるように、コア１３を貫通するそれぞれの接続線路１１、１２を同時に形成する。
【００４５】
第１群の単電池３’の他方の電極５、または第２群の単電池３”の他方の電極４は、コア１３の長手脚部１４、１５の貫通個所の間に分離スリット２４を有する。この分離スリット２４は、電流がここでコア１３を貫通するのを阻止し、電流が（図７に示すように）コア１３の外側を迂回して流れるよう強制する。図７の電流線２５は、このことを示唆している。
【００４６】
図７の実施形態の接続線路１１、１２が、図２に示すスイッチ１８によって配線接続される場合、第１群の単電池３’と第２群の単電池３”との間にそれぞれ逆向きの誘導結合が生じる。
【００４７】
図７および８から分かるように、この実施形態は、隣接する２つの単電池３’、３”の隣り合った電極４、５を統合するのに特に適している。なぜなら、これら隣り合った電極は、全く同じ構成を有しているからである。したがって、これらの電極を１つの共通な、さらには一体型の「バイポーラ」電極として直接統合することができる。
【００４８】
図９は、さらに別の実施形態を示す。この実施形態では、２つの長手脚部１４、１５を備えるＯコアの代わりに、３つの長手脚部１４、１５、１６を備えるＥ字形コアが使用される。これらの長手脚部は、ヨークとして働く図１の横脚部１７を介して結合されて、「Ｅ字形」になっている。必要な場合には、対向する第２の横脚部１７を使用し、「Ｅ字形」を補完して、相互に接する２つの「Ｏ字形」にすることもできる。図９のコンセプトを、３つよりも多い長手脚部１４〜１６、例えば４つ、５つまたはそれ以上の長手脚部に拡張することもできることを理解されたい。
【００４９】
図９には、第１群の第１の単電池３’の２つの電極４、５だけが図示されている（第２群の単電池３”の電極はこれと鏡映対称である）。（ここでは上方に図示されている）負の電極５の一方の接続線路１２は、スリット２６〜２９によって、その電極５から境界を画されて、コア１３の長手脚部１４〜１６の間を蛇行して通り抜け、符号３０の傍で残りの電極面に開口する。（ここでは下方に図示されている）正の電極４の接続線路１１は、スリット３１〜３４によってその電極４から境界を画されて、長手脚部１４〜１６の間を逆向きに蛇行して通り抜け、符号３５の傍で残りの電極面に移行する。
【００５０】
別の（図示しない）実施形態では、図７と図９の実施形態の組合せとして、単電池３’、３”の電極４、５のそれぞれ１つが、蛇行して案内される接続線路の代わりに、単に図７の実施形態のような、スリット２４を有することもできる。こうすると、結合度は小さくなる。
【００５１】
当然のことながら、単電池間の誘導性電荷平衡を達成するために、図２に図示したのとは別の形で、当技術分野で知られている任意の様式で、単電池３’、３”を、それらの接続線路１１、１２に接続することもできる。さらに、接続線路１１、１２は、個々の単電池の単電池電圧を測定するために、または単電池３’、３”を個別に充電または放電するために使用することもできる。また、スイッチ１８を、群ごとに一定のタイミングで切り換えるだけではなく、個々の単電池を必要に応じて、例えば、接続線路１１、１２における個々の単電池の電荷測定に基づいてタイミングを決めることもでき、それにより選択された単電池３’、３”間で、単電池ごとに再充電を実施することもできる。
【００５２】
したがって本発明は、上記の実施形態に制限されるものではなく、添付の特許請求の範囲に含まれるすべての組合せ、変形および変更を含むものである。
【図１】
2011507149.tif 000003
【図２】
2011507149.tif 000004
【図３】
2011507149.tif 000005
【図４】
2011507149.tif 000006
【図５】
2011507149.tif 000007
【図６】
2011507149.tif 000008
【図７】
2011507149.tif 000009
【図８】
2011507149.tif 000010
【図９】
2011507149.tif 000011
【国際調査報告】
2011507149.tif 000012
2011507149.tif 000013
2011507149.tif 000014
2011507149.tif 000015